(57)【特許請求の範囲】
【請求項１】
新聞の紙面を構成する各記事について、少なくとも、前記紙面における配置位置と、付与された見出しの個数とが予め書き込まれ、蓄積手段に蓄積された紙面データに基づいて、各記事の重要度をコンピュータが決定する新聞紙面の記事重要度決定方法であって、
前記蓄積手段に蓄積された紙面データに予め書き込まれた前記各記事の配置位置及び前記付与された見出しの個数と、前記配置位置から算出される前記各記事の面積とを含む記事重要度データを作成する作成ステップと、
前記作成した記事重要度データと、予め定めた重要度決定条件とを用いて前記各記事の重要度を決定する決定ステップとを実行し、
前記重要度決定条件は、付与された見出しの個数が多いほど高い重要度としたことを特徴とする新聞紙面の記事重要度決定方法。
【請求項２】
新聞の紙面を構成する各記事について、少なくとも、前記紙面における配置位置と、付与された見出しの個数及び配置位置と、付与された画像の個数及び配置位置と、付与された写真の個数及び配置位置とが予め書き込まれ、蓄積手段に蓄積された紙面データに基づいて、前記各記事の重要度をコンピュータが決定する新聞紙面の記事重要度決定方法であって、
前記蓄積手段に蓄積された紙面データに予め書き込まれた各記事の配置位置及び前記付与された見出しの個数と、前記各記事の配置位置から算出される前記各記事の面積と、前記付与された見出し、画像、及び写真の配置位置から算出される前記見出し、画像、及び写真の各面積とを含む記事重要度データを作成する作成ステップと、
前記作成した記事重要度データと、予め定めた重要度決定条件とを用いて前記各記事の重要度を決定する決定ステップとを実行し、
前記重要度決定条件は、付与された見出しを含めた前記記事の紙面上における配置位置が紙面の上段であるほど、前記付与された見出しの面積が大きいほど、前記記事の面積が大きいほど、前記付与された画像と写真との合計面積が大きいほど、高い重要度としたことを特徴とする新聞紙面の記事重要度決定方法。
【請求項３】
新聞の各紙面に掲載する少なくとも記事、画像、写真からなる複数の要素を管理するとともに、前記管理されている各要素をそれぞれ読み出して各紙面上に配置することにより新聞紙面を制作するシステムにおいて、
前記各記事について、少なくとも、前記紙面における配置位置と、付与された見出しの個数とが予め書き込まれた紙面データを蓄積する蓄積手段と、
前記蓄積手段に蓄積された紙面データに予め書き込まれた前記各記事の配置位置及び前記付与された見出しの個数と、前記配置位置から算出される前記各記事の面積とを含む記事重要度データを作成し、前記作成した記事重要度データと、予め定めた重要度決定条件とを用いて前記各記事の重要度を決定する重要度決定手段とを備え、
前記重要度決定条件は、付与された見出しの個数が多いほど高い重要度としたことを特徴とする新聞紙面の制作システム。
【請求項４】
新聞の各紙面に掲載する少なくとも記事、画像、写真からなる複数の要素を管理するとともに、前記管理されている各要素をそれぞれ読み出して各紙面上に配置することにより新聞紙面を制作するシステムにおいて、
前記各記事について、少なくとも、前記紙面における配置位置と、付与された見出しの個数及び配置位置と、付与された画像の個数及び配置位置と、付与された写真の個数及び配置位置とが予め書き込まれた紙面データを蓄積する蓄積手段と、
前記蓄積手段に蓄積された紙面データに予め書き込まれた各記事の配置位置及び前記付与された見出しの個数と、前記各記事の配置位置から算出される前記各記事の面積と、前記付与された見出し、画像、及び写真の配置位置から算出される前記見出し、画像、及び写真の各面積とを含む記事重要度データを作成し、前記作成した記事重要度データと、予め定めた重要度決定条件とを用いて前記各記事の重要度を決定する重要度決定手段とを備え、
前記重要度決定条件は、付与された見出しを含めた前記記事の紙面上における配置位置が紙面の上段であるほど、前記付与された見出しの面積が大きいほど、前記記事の面積が大きいほど、前記付与された画像と写真との合計面積が大きいほど、高い重要度としたことを特徴とする新聞紙面の制作システム。
【発明の詳細な説明】
【０００１】
【発明の属する技術分野】
本発明は、新聞紙面の紙面データに基づいて、各紙面に配置された記事の重要度を決定することが可能な新聞紙面の制作システムおよび記事重要度決定方法に関するものである。
【０００２】
【従来の技術】
従来、新聞紙面を制作する場合には、その内容が重要な記事から優先的に紙面上の配置が決定されている。このようにして記事の配置場所が決定されると、記事が紙面上に配置された紙面データが作成され、この紙面データに基づいて新聞紙面の印刷がなされている。印刷された新聞紙面は、購読者によって購入されるほか、一部の新聞紙面については，記録用としてマイクロフィルム化、あるいは画像データ化されて保存されている。
【０００３】
最近では、新聞紙面の制作システムにおいても電子化技術が積極的に取り入れられるようになってきている。これに伴って、新聞紙面に配置された記事についても、紙面データに配置された１つの要素データとして取り扱うことが可能となり、記事をカテゴリー別に分類したり、記事の一覧リストを表示したり、更には記事を重要度順に表示したりすることの必要性が注目されてきている。
【０００４】
殊に近年、発行済み新聞紙面の電子媒体化の動きに伴い、この傾向は益々高まってきている。
【０００５】
【発明が解決しようとする課題】
記事をカテゴリー別に分類したり、あるいは記事の一覧リストを表示するのは比較的容易である。これは、記事の内容に基づいてそのカテゴリーを表す識別情報を記事データに付加し、この付加された識別情報に基づいて各記事を分類すれば良い。また、記事に付与される見出しをそのまま記事データのデータ名とし、このデータ名に基づいて昇順あるいは降順に一覧表示すれば良い。
【０００６】
一方、記事を重要度順に表示するためには、記事のカテゴリー別の分類と似たように、予め各記事毎の重要度を判定しておき、判定された重要度を表す重要度情報を記事データに付加し、この付加された重要度情報に基づいて各記事を表示するようにすれば良い。
【０００７】
しかしながら、従来は，このような重要度情報の判定、および判定された重要度の入力作業ともに人間が行っているために作業効率が良くない。このため、新聞の紙面データに配置された記事データに基づいて、記事の重要度を自動的に決定する記事重要度決定機能を備えた新聞紙面の制作システムの実現が望まれている。
【０００８】
本発明は上記の事情に鑑みてなされたもので、新聞の紙面制作過程で生成された紙面データに配置された記事データに基づいて記事の重要度を決定するための必要な情報を抽出し、抽出した情報に基づいて記事の重要度を自動的に決定する新聞紙面の制作システムおよび記事重要度決定方法を提供することを目的とする。
【０００９】
【課題を解決するための手段】
上記の目的を達成するために、本発明では、以下のような手段を講じる。
【００１０】
すなわち、請求項１の発明では、新聞の紙面を構成する各記事について、少なくとも、前記紙面における配置位置と、付与された見出しの個数とが予め書き込まれ、蓄積手段に蓄積された紙面データに基づいて、各記事の重要度をコンピュータが決定する新聞紙面の記事重要度決定方法であって、蓄積手段に蓄積された紙面データに予め書き込まれた各記事の配置位置及び付与された見出しの個数と、配置位置から算出される各記事の面積とを含む記事重要度データを作成する作成ステップと、作成した記事重要度データと、予め定めた重要度決定条件とを用いて各記事の重要度を決定する決定ステップとを実行する。そして、重要度決定条件は、付与された見出しの個数が多いほど高い重要度としている。
【００１１】
従って、請求項１の発明の新聞紙面の記事重要度決定方法においては、以上のような手段を講じることにより、紙面データに予め書き込まれた各記事の配置位置及び付与された見出しの個数と、配置位置から算出される各記事の面積とを含む記事重要度データを作成し、作成した記事重要度データと、付与された見出しの個数が多いほど重要度が高い予め定めた重要度決定条件とを用いて各記事の重要度を決定することができる。
【００２４】
請求項２の発明では、新聞の紙面を構成する各記事について、少なくとも、紙面における配置位置と、付与された見出しの個数及び配置位置と、付与された画像の個数及び配置位置と、付与された写真の個数及び配置位置とが予め書き込まれ、蓄積手段に蓄積された紙面データに基づいて、各記事の重要度をコンピュータが決定する新聞紙面の記事重要度決定方法であって、蓄積手段に蓄積された紙面データに予め書き込まれた各記事の配置位置及び付与された見出しの個数と、各記事の配置位置から算出される各記事の面積と、付与された見出し、画像、及び写真の配置位置から算出される見出し、画像、及び写真の各面積とを含む記事重要度データを作成する作成ステップと、作成した記事重要度データと、予め定めた重要度決定条件とを用いて各記事の重要度を決定する決定ステップとを実行する。そして、重要度決定条件は、付与された見出しを含めた記事の紙面上における配置位置が紙面の上段であるほど、付与された見出しの面積が大きいほど、記事の面積が大きいほど、付与された画像と写真との合計面積が大きいほど、高い重要度とする。
【００２５】
従って、請求項２の発明の新聞紙面の記事重要度決定方法においては、以上のような手段を講じることにより、見出しを含めた記事の紙面上における配置位置が紙面の上段であるほど、付与された見出しの面積が大きいほど、記事の面積が大きいほど、付与された画像と写真との合計面積が大きいほど、高い重要度として、各記事の重要度を決定することができる。
【００２６】
請求項３の発明では、新聞の各紙面に掲載する少なくとも記事、画像、写真からなる複数の要素を管理するとともに、管理されている各要素をそれぞれ読み出して各紙面上に配置することにより新聞紙面を制作するシステムにおいて、各記事について、少なくとも、紙面における配置位置と、付与された見出しの個数とが予め書き込まれた紙面データを蓄積する蓄積手段と、蓄積手段に蓄積された紙面データに予め書き込まれた各記事の配置位置及び付与された見出しの個数と、配置位置から算出される各記事の面積とを含む記事重要度データを作成し、作成した記事重要度データと、予め定めた重要度決定条件とを用いて各記事の重要度を決定する重要度決定手段とを備える。そして、重要度決定条件は、付与された見出しの個数が多いほど高い重要度とする。
【００２７】
従って、請求項３の発明の新聞紙面の制作システムにおいては、以上のような手段を講じることにより、記事重要度データと、付与された見出しの個数が多いほど高い重要度決定条件とを用いて記事の重要度を決定することができる。
【００４０】
請求項４の発明では、新聞の各紙面に掲載する少なくとも記事、画像、写真からなる複数の要素を管理するとともに、管理されている各要素をそれぞれ読み出して各紙面上に配置することにより新聞紙面を制作するシステムにおいて、各記事について、少なくとも、紙面における配置位置と、付与された見出しの個数及び配置位置と、付与された画像の個数及び配置位置と、付与された写真の個数及び配置位置とが予め書き込まれた紙面データを蓄積する蓄積手段と、蓄積手段に蓄積された紙面データに予め書き込まれた各記事の配置位置及び付与された見出しの個数と、各記事の配置位置から算出される各記事の面積と、付与された見出し、画像、及び写真の配置位置から算出される見出し、画像、及び写真の各面積とを含む記事重要度データを作成し、作成した記事重要度データと、予め定めた重要度決定条件とを用いて各記事の重要度を決定する重要度決定手段とを備えている。そして、重要度決定条件は、付与された見出しを含めた記事の紙面上における配置位置が紙面の上段であるほど、付与された見出しの面積が大きいほど、記事の面積が大きいほど、付与された画像と写真との合計面積が大きいほど、高い重要度とする。
【００４１】
従って、請求項４の発明の新聞紙面の制作システムにおいては、以上のような手段を講じることにより、記事の紙面上における配置位置が紙面の上段であるほど、付与された見出しの面積が大きいほど、記事の面積が大きいほど、付与された画像と写真との合計面積が大きいほど重要度が高い重要度決定条件と、記事重要度データとを用いて記事の重要度を決定することができる。
【００４２】
【発明の実施の形態】
以下に、本発明の各実施の形態について図面を参照しながら説明する。
【００４３】
（第１の実施の形態）
本発明の第１の実施の形態を図１から図２３を用いて説明する。
【００４４】
図１は、本実施の形態に係る新聞紙面の記事重要度決定方法を適用した新聞紙面制作システムの一例を示す機能ブロック図である。
【００４５】
本実施の形態に係る新聞紙面制作システムは、記事入力／校正端末１と、記事サーバ２と、画像入力／加工端末３と、画像サーバ４と、組版端末５と、組版編集サーバ６と、紙面データファイル７と、出力サーバ８と、プリンタ／プロッタ９とを備えている。
【００４６】
記事入力／校正端末１は、記事の入力および校正を行うための端末であり、オペレータから記事情報の入力を受け付け、記事サーバ２に出力する。また、記事サーバ２に蓄積されている記事情報を取得して、その記事情報に基づく校正入力をオペレータから受け付け、校正された記事情報を記事サーバ２に再び出力する。
【００４７】
記事サーバ２は、記事入力／校正端末１から入力された記事情報、または、図示しない通信回線を経由して通信社などから入力された記事情報を受信し、蓄積する。また、記事入力／校正端末１からの校正要求により、蓄積している記事情報の中から、要求のあった記事情報を記事入力／校正端末１に出力する。更に、オペレータの指示などに従って、蓄積している記事情報を組版編集サーバ６に出力する。
【００４８】
画像入力／加工端末３は、画像データの入力および画像データの加工を行うための端末であり、スキャナやディスプレイ等を備えている。このような画像入力／加工端末３は、オペレータから画像データの入力を受け付け、入力された画像データを画像サーバ４に出力する。また、オペレータから入力された画像データの加工操作入力に基づいて画像データの加工を行い、加工した画像データを画像サーバ４に出力する。なお、画像データを加工する場合には、画像入力／加工端末３に入力されている画像データを直接加工することも、また、画像サーバ４に蓄積されている画像データから所定の画像データを取得し、その画像データを加工することのいずれも可能としている。
【００４９】
画像サーバ４は、画像入力／加工端末３から出力された画像データを受取し、蓄積する。また、画像入力／加工端末３からの要求により、蓄積している画像データの中から、要求のあった画像データを画像入力／加工端末３に出力する。更に、オペレータの指示などに従って、蓄積している画像データを組版編集サーバ６に出力する。
【００５０】
組版端末５は、例えばワークステーションやパーソナルコンピュータで構成されており、オペレータによる記事、画像、および見出しの配置（割付）操作の入力を受け付け、配置の終了した紙面の領域を配置領域データとして組版編集サーバ６に出力する端末である。
【００５１】
組版編集サーバ６は、組版端末５からの要求に対して、記事や画像を組版端末５に送信する。そして、組版端末５によって編集処理された処理結果である紙面データを紙面データファイル７に出力し、蓄積させる。また、この組版編集サーバ６は、記事重要度算出部１０と記事重要度データ出力部１１とを備えている。記事重要度算出部１０と記事重要度データ出力部１１については後述する。
【００５２】
紙面データファイル７は、組版端末５によって編集処理された処理結果である紙面データ１３を、組版編集サーバ６を介して取得し蓄積するとともに、蓄積している紙面データ１３を、記事重要度算出部１０が記事の重要度を算出する場合には記事重要度算出部１０に出力する。図３は、このような紙面データ１３の構成例であり、紙面＃１の紙面データ１３（＃１）、紙面＃２の紙面データ１３（＃２）というように、紙面毎の紙面データ１３（＃１、２、・・、ｎ）からなる。更に、各紙面の紙面データ１３は、紙面上に配置された多数の要素情報が配置されてなる。要素情報とは、記事情報、画像情報、写真情報、見出し情報、小組情報、地紋情報、テキスト情報等のことである。なお、小組情報とは、記事毎に組んだ組版のことである。
【００５３】
図４は、多数の要素情報が配置されてなる紙面データ１３の一例として、紙面＃１の紙面データ１３（＃１）を構成している要素情報のデータ構造を示したデータ構造図である。
【００５４】
すなわち、図４にその一例を示す紙面データ１３（＃１）は、紙面データ共通情報1300、＃１要素情報（本文記事ａ）1301、＃２要素情報（本文記事ｂ）1302、＃３要素情報（本文記事ｃ）1303、＃４要素情報（画像・写真ｄ）1304、＃５要素情報（見出しｅ）1305、＃６要素情報（画像・地紋ｆ）1306、＃７要素情報（小組ｇ）1307、＃８要素情報（本文記事ｈ）1308、＃９要素情報（本文記事ｉ）1309、＃１０要素情報（画像・写真ｊ）1310、＃１１要素情報（見出しｋ）1311、＃１２要素情報（見出しｍ）1312、＃１３要素情報（画像・地紋ｎ）1313、＃１４要素情報（見出しｐ）1314、＃１５要素情報（画像・写真ｑ）、記事のテキストやレイアウト済みテキスト、および画像の表示画や実画像などからなるテキスト情報等1320等から構成してなる。
【００５５】
紙面データ共通情報1300は、そのデータ構造例を図５に示すように、掲載年月日1300K、面名1300M、版名1300H、体裁情報（組方向、段数、字詰、文字サイズ、段間、行間など）1300Tを、それぞれデータ番号と対応付けて構成してなる情報である。
【００５６】
同様に、＃１要素情報（本文記事ａ）1301のデータ構造例を図６に、＃２要素情報（本文記事ｂ）1302のデータ構造例を図７に、＃３要素情報（本文記事ｃ）1303のデータ構造例を図８に、＃４要素情報（画像・写真ｄ）1304のデータ構造例を図９に、＃５要素情報（見出しｅ）1305のデータ構造例を図１０に、＃６要素情報（画像・地紋ｆ）1306のデータ構造例を図１１に、＃７要素情報（小組ｇ）1307のデータ構造例を図１２、＃８要素情報（本文記事ｈ）1308のデータ構造例を図１３に、＃９要素情報（本文記事ｉ）1309のデータ構造例を図１４に、＃１０要素情報（画像・写真ｊ）1310のデータ構造例を図１５に、＃１１要素情報（見出しｋ）1311のデータ構造例を図１６に、＃１２要素情報（見出しｍ）1312のデータ構造例を図１７に、＃１３要素情報（画像・地紋ｎ）1313のデータ構造例を図１８に、＃１４要素情報（見出しｐ）1314のデータ構造例を図１９に、＃１５要素情報（画像・地紋ｎ）1315のデータ構造例を図２０に、テキスト情報等1320のデータ構造例を図２１に、それぞれ示す。
【００５７】
なお、図４に示すようなデータ構造の紙面＃１の紙面データ１３（＃１）においては、本文記事ａと本文記事ｂとは分割しているが、これらの記事は連結されて１つの本文記事として扱ってもよい。こうした本文記事に対する見出し情報（見出しｅ，見出しｐ）、および画像情報（写真ｄ，写真ｑ）については、先頭記事である本文記事ａのみにデータを設定する方法と、先頭記事である本文記事ａと後続記事である本文記事ｂとの両方に同じデータを設定する方法がある。
【００５８】
出力サーバ８は、組版端末５からの大刷／版下出力指示にしたがって、組版編集サーバ６で生成された文字や画像の配置情報をドットデータに展開してプリンタ／プロッタ９に出力する。
【００５９】
プリンタ／プロッタ９は、出力サーバ８から、文字や画像の配置情報のドットデータを取得し、取得したドットデータに基づいて大刷や版下を出力する。
【００６０】
記事重要度算出部１０は、紙面データファイル７に蓄積されている紙面データ１３を用いて、図２２のフローチャートに示す通りに動作し、紙面に配置された各記事について重要度を算出するためのデータを抽出してなる記事重要度データ１４を作成する。そして、この記事重要度データ１４に基づいて各記事の重要度を算出し、算出した結果を紙面データファイル７に、あるいは記事重要度データ出力部１１に出力する。図２３は、記事重要度データ１４の一例を示すデータ構造図である。
【００６１】
紙面データファイル７に出力された記事の重要度は、ここで格納されるようにしている。また、記事重要度データ出力部１１に出力された記事の重要度は、必要に応じて記事重要度データ１４とともに紙に、あるいはＦＤ、ＭＯ、ＣＤ等の電子記憶媒体に出力されるようにしている。
【００６２】
なお、記事重要度算出部１０と記事重要度データ出力部１１とは、組版編集サーバ６に備えるものに限られるものではなく、紙面データファイル７から出力される紙面データを取得することができるのであれば、図２に示すように、組版編集サーバ６の外部に備えるようにしても良い。
【００６３】
次に、以上のように構成した本実施の形態に係る新聞紙面の記事重要度決定方法を適用した新聞紙面制作システムの動作について説明する。
【００６４】
図２２は、本実施の形態に係る新聞紙面の目次作成方法を適用した新聞紙面制作システムの目次情報作成時における記事重要度算出部１０の動作を示すフローチャートである。
【００６５】
本新聞紙面制作システムでは、記事重要度算出部１０によって、紙面データファイル７に蓄積されている紙面データ１３が用いられ、図２２のフローチャートに示す動作にしたがって記事重要度データ１４が作成され、更にこの記事重要度データ１４に基づいて各記事の重要度が算出される。この算出結果は、紙面データファイル７内に保持する方法、あるいは記事重要度データ１４とともに記事重要度データ出力部１１に保存し必要に応じて出力する方法があるが、ここでは、後者の場合を例に説明する。
【００６６】
このような記事の重要度を算出する場合、記事の重要度を決定づける主要な因子としては、以下がある。
（１）紙面の上段の記事の方が重要度が高い（紙面の配置位置）。
（２）見出しが大きい方が重要度が高い（見出しの大きさ）。
（３）本文や写真を含めた割り付け面積が広い方が重要度が高い（割り付け面積の大きさ）。
以下では、上記に示す（１）〜（３）に示す各因子のうちの（１）である紙面の配置位置に基づいて記事の重要度を算出する場合を例に説明する。
【００６７】
ここで、配置位置に基づく重要度は、段方向位置が上の方が重要度が高く、段方向位置が同じであれば行方向位置が右側の方が重要度が高いものとする。なお、縦組の紙面の場合、紙面座標の原点を右上（段方向は縦軸，行方向が横軸）とし、横組の紙面の場合、紙面座標の原点を左上（段方向は横軸，行方向は縦軸）とすると位置座標は、段方向、行方向ともに値の小さい方が重要度が高い。以下に示す説明では、紙面の組み方向は縦組であるとして説明する。
【００６８】
まず、記事重要度算出部１０によって、紙面データファイル７に蓄積されている紙面データ１３が用いられ、紙面データ１３の最初の紙面である紙面＃１の紙面データ１３（＃１）が対象とされる（Ｓ１）。次に、ステップＳ１において対象とされた紙面データ１３（＃１）の掲載年月日1300K、面名1300M、版名1300Hが、指示された条件と一致しているかが確認される（Ｓ２）。そして、一致すれば（Ｓ２：Ｙｅｓ）ステップＳ３へ進み、一致しなければ（Ｓ２：Ｎｏ）ステップＳ１８へ進む。
【００６９】
次に、紙面データ１３の＃１要素情報1301から順に、各要素情報毎に記事の重要度決定処理が開始される（Ｓ３）。そして、ステップＳ４では、ステップＳ３で対象とされた対象要素が有効であって、レイアウト済みであるか否かが確認される（Ｓ４）。例えば、＃１要素情報1301が対象であれば、＃１要素の無効／有効フラグ1301Fが有効であって、かつ、＃１要素の配置情報の登録数1301L0が０件である場合（Ｓ４：Ｙｅｓ）にはステップＳ５に進み、そうでなければ（Ｓ４：Ｎｏ）ステップＳ１６へ進む。
【００７０】
更に、ステップＳ５では、対象要素の要素種別は本文記事であるか否かが確認される。例えば、＃１要素情報1301であれば、＃１要素の要素種別1301Sの内容が確認される。そして、この要素種別1301Sが、本文記事である場合（Ｓ５：Ｙｅｓ）にはステップＳ６へ進み、本文記事で無い場合（Ｓ５：Ｎｏ）にはステップＳ１６へ進む。
【００７１】
次に、ステップＳ６では、ステップＳ５において対象とされた本文記事が先頭記事であるか否かが確認され、先頭記事である場合（Ｓ６：Ｙｅｓ）にはステップＳ７に進み、先頭記事でない場合（Ｓ６：Ｎｏ）にはステップＳ１６に進む。これは、例えば、紙面＃１の＃２要素情報（本文記事ｂ）1302が対象である場合には、本文記事ｂは、＃１要素情報（本文記事ａ）の後続記事の要素ＩＤ1301Gに指定されているので先頭記事ではない。一方、紙面＃１の＃１要素情報（本文記事ａ）、または紙面＃３の＃３要素情報（本文記事ｃ）が対象である場合には、本文記事ａおよび本文記事ｃは、紙面＃１の全ての要素情報の本文記事の後続記事の要素ＩＤ130nGで指定されていないので先頭記事である。
【００７２】
ステップＳ７では、ステップＳ５において対象とされた本文記事について、その対象記事の後続記事を含めた最小の配置座標が求められる（Ｓ７）。
【００７３】
この最小の配置座標は、例えば、紙面＃１の＃１要素情報（本文記事ａ）1301を対象とした場合、以下の（１）から（３）に示す処理によって求められる。  （１）第１番目の配置領域の対角線始点Ｙ座標1301L1SYが本文記事ａの最小の段方向配置座標、第１番目の配置領域の対角線始点Ｘ座標1301L1SXが本文記事ａの最小の行方向配置座標にそれぞれ設定され、下記（２）に進む。
【００７４】
（２）以下のａ〜ｄの各条件に応じた処理がなされた後に下記（３）に進む。
【００７５】
ａ．（本文記事の最小の段方向配置座標）≦（第２番目の配置領域の対角線始点Ｙ座標1301L2SX）が成立する場合には、そのまま（３）に進む。
ｂ．（本文記事の最小の段方向配置座標）＞（第２番目の配置領域の対角線始点Ｙ座標1301L2SY）が成立する場合には、第２番目の配置領域の対角線始点Ｙ座標1301L2SYが最小の段方向配置座標とされ、（３）に進む。
ｃ．（本文記事の最小の段方向配置座標）＝（第２番目の配置領域の対角線始点Ｙ座標1301L2SY）が成立し、かつ（本文記事の最小の行方向配置座標）≦（第２番目の配置領域の対角線始点Ｘ座標1301L2SX）が成立する場合であれば、そのまま（３）に進む。
ｄ．（本文記事の最小の段方向配置座標）＝（第２番目の配置領域の対角線始点Ｙ座標1301L2SY）が成立し、かつ（本文記事の最小の行方向配置座標）＞（第２番目の配置領域の対角線始点Ｘ座標1301L2SX）が成立する場合には、第２番目の配置領域の対角線始点Ｘ座標1301L2SXを本文記事の最小の行方向配置座標として（３）へ進む。
【００７６】
（３）第３番目の配置領域の対角線始点Ｙ座標1301L3SY、および第３番目の配置領域の対角線始点Ｘ座標1301L3SXに対して上記（２）の処理がなされる。このように、配置情報の登録数1301L0の登録件数だけ、上記（２）に該当する処理が繰り返される。
【００７７】
ステップＳ８では、対象本文記事に見出し情報があるか否かが確認される。これは、例えば、紙面＃１の＃１要素情報（本文記事ａ）1301が対象であれば、＃１要素の本文記事に対する見出しの要素ＩＤの登録数1301E0の値が確認される。そして、＃１要素情報の本文記事ａに対する見出しの要素ＩＤの登録数1301E0の値が１以上であれば見出しが存在する（Ｓ８：Ｙｅｓ）のでステップＳ９へ進み、そうでなければ（Ｓ８：Ｎｏ）ステップＳ１０へ進む。
【００７８】
ステップＳ９では、紙面データ１３から、見出しの最小の配置座標が求められる。これは、たとえば、紙面＃１の＃１要素情報（本文記事ａ）1301が対象であれば、＃１要素情報の本文記事ａに対する見出しの要素ＩＤの登録数1301E0の値の示す件数分だけ以下に示す（１）から（４）の処理が行われることによって求められる。
【００７９】
（１）＃１要素情報の本文記事ａに対する第１番目の見出しの要素ＩＤ1301E1の見出しの配置座標が求められる。これはまず、＃１要素情報の本文記事ａに対する第１番目の見出しの要素ＩＤ1301E1に対応した要素情報の要素が検索される。この場合の要素は見出しｅなので、＃５要素情報1305となる。
【００８０】
更に、見出しの最小段方向配置座標、および見出しの行方向配置座標が次のように設定される。すなわち、＃５要素情報の第１番目の配置領域の対角線始点Ｙ座標1305L1SYが見出しの最小の段方向配置座標とされ、更に、＃５要素情報の第１番目の配置領域の対角線始点Ｘ座標1305L1SXが見出しの最小の行方向配置座標とされる。
【００８１】
（２）＃１要素情報の本文記事ａに対する第２番目の見出しの要素ＩＤ1301E2に対応した要素情報の要素が検索される。この場合の要素は見出しｐなので、＃１４要素情報1314となる。次に、以下に示すような条件に応じたａ〜ｄの各処理がなされ、＃１要素情報の本文記事ａに対する第２番目の見出しの要素ＩＤ1301E2の見出しの配置座標が求められる。
ａ．（見出しの最小の段方向配置座標）≦（＃１４要素情報の第１番目の配置領域の対角線始点Ｙ座標1314L1SY）である場合には（３）に進む。
ｂ．（見出しの最小の段方向配置座標）＞（＃１４要素情報の第１番目の配置領域の対角線始点Ｙ座標1314L1SY）である場合には、＃１４要素情報の第１番目の配置領域の対角線始点Ｙ座標1314L1SYを最小の段方向配置座標とされ（３）に進む。
ｃ．（見出しの最小の段方向配置座標）＝（＃１４要素情報の第１番目の配置領域の対角線始点Ｙ座標1314L1SY）であって、かつ、（見出しの最小の行方向配置座標）≦（＃１４要素情報の第１番目の配置領域の対角線始点Ｘ座標1314L1SX）である場合には、そのまま（３）に進む。
【００８２】
ｄ．（見出しの最小の段方向配置座標）＝（＃１４要素情報の第１番目の配置領域の対角線始点Ｙ座標1314L1SY）であって、かつ、（見出しの最小の行方向配置座標）＞（＃１４要素情報の第１番目の配置領域の対角線始点Ｘ座標1314L1SX）であれば、＃１４要素情報の第１番目の配置領域の対角線始点Ｘ座標1314L1SXを見出しの最小の行方向配置座標として（３）に進む。
【００８３】
（３）＃１要素情報の本文記事ａに対する第３番目の見出しの要素ＩＤ1301E3以降がある場合には、上記（２）の処理が実行される。紙面＃１の＃１要素情報の本文記事ａは第３番目以降の見出しが無いのこの処理を終了し、ステップＳ１１に進む。
【００８４】
ステップＳ１０では、見出しの最小の段方向配置座標、および見出しの最小の行方向配置座標にそれぞれ固定値（最大座標値）が設定された後にステップＳ１１に進む。これは、後述するステップＳ１４において、見出しの有無の判定を不要にし処理ロジックを簡単にするためである。
【００８５】
ステップＳ１１では、対象本文記事に画像情報があるか否かが確認される。例えば、紙面＃１の＃１要素情報（本文記事ａ）1301が対象であれば、＃１要素情報の本文記事ａに対する画像の要素ＩＤの登録数1301Q0の値が確認される。そして、＃１要素情報の本文記事ａに対する画像の要素ＩＤの登録数1301Q0の値が１以上であれば画像が存在する（Ｓ１１：Ｙｅｓ）のでステップＳ１２へ進み、そうでなければ（Ｓ１１：Ｎｏ）画像が存在しないのでステップＳ１３へ進む。
【００８６】
ステップＳ１２では、ステップＳ１１において対象とされた画像について、その最小の配置座標が求められる（Ｓ１２）。
【００８７】
この最小の配置座標は、例えば、紙面＃１の＃１要素情報（本文記事ａ）1301を対象とした場合、＃１要素情報の本文記事ａに対する画像の要素ＩＤの登録数1301Q0の値の示す件数だけ以下（１）から（４）に示すような処理がなされる。
【００８８】
（１）＃１要素情報の本文記事ａに対する第１番目の画像の要素ＩＤ1301Q1の画像の配置座標が求められる。これは、まず、＃１要素情報の本文記事ａに対する第１番目の画像の要素ＩＤ1301Q1に対応した要素情報が検索される。この場合の要素は画像：写真ｄなので、＃４要素情報となる。次に、画像の最小段方向配置座標、画像の行方向配置座標が次のように設定される。すなわち、＃４要素情報の第１番目の配置領域の対角線始点Ｙ座標1304L1SYが、画像の最小の段方向配置座標とされ、＃４要素情報の第１番目の配置領域の対角線始点Ｘ座標1304L1SXが画像の最小の行方向配置座標とされる。
【００８９】
（２）＃１要素情報の本文記事ａに対する第２番目の画像の要素ＩＤ1301Q2の画像の配置座標が求められる。これは、まず、＃１要素情報の本文記事ａに対する第２番目の画像の要素ＩＤ1301Q2の要素情報が検索されることによってなされる。この場合の要素は画像ｑなので、＃１５要素情報1315となる。更に、以下に示すような条件に応じたａ〜ｄの各処理がなされ、各条件に応じた処理がなされる。
【００９０】
ａ．（画像の最小の段方向配置座標）≦（＃１５要素情報の第１番目の配置領域の対角線始点Ｙ座標1315L1SY）であれば、（３）に進む。
ｂ．（画像の最小の段方向配置座標）＞（＃１５要素情報の第１番目の配置領域の対角線始点Ｙ座標1315L1SY）であれば、＃１５要素情報の第１番目の配置領域の対角線始点Ｙ座標1315L1SYを最小の段方向配置座標として（３）に進む。  ｃ．（画像の最小の段方向配置座標）＝（＃１５要素情報の第１番目の配置領域の対角線始点Ｙ座標1315L1SY）であって、かつ（画像の最小の行方向配置座標）≦（＃１５要素情報の第１番目の配置領域の対角線始点Ｘ座標1315L1SX）であれば、（３）に進む。
ｄ．（画像の最小の段方向配置座標）＝（＃１５要素情報の第１番目の配置領域の対角線始点Ｙ座標1315L1SY）であって、かつ（画像の最小の行方向配置座標）＞（＃１５要素情報の第１番目の配置領域の対角線始点Ｘ座標1315L1SX）であれば、＃１５要素情報の第１番目の配置領域の対角線始点Ｘ座標1315L1SXを、画像の最小の行方向配置座標として（３）に進む。
【００９１】
（３）＃１要素情報の本文記事ａに対する第３番目の画像の要素ＩＤ1301Q3以降があれば上記（２）の処理を実行する。紙面＃１の＃１要素情報の本文記事ａは、本文記事に対する第３番目以降の画像が無いので処理を終了する。
【００９２】
（４）ステップＳ１４へ進む。
【００９３】
一方、ステップＳ１３では、画像の最小の段方向配置座標、および画像の最小の行方向配置座標にそれぞれ固定値（最大座標値）が設定された後にステップＳ１４に進む。これは、後述するステップＳ１４において、見出しの有無の判定を不要にし処理ロジックを簡単にするためである。
【００９４】
ステップＳ１４では、以下（１）から（４）に示すような処理が行われ、本文記事の最小の配置座標、見出しの最小の配置座標、画像の最小の配置座標のうち一番小さい値が求められる。
【００９５】
（１）本文記事の最小の段方向配置座標が最小の段方向配置座標に、本文記事の最小の行方向配置座標が最小の行方向配置座標にそれぞれ設定される。
【００９６】
（２）以下のａ〜ｄに示すような処理が行われ、見出しの最小の配置座標との比較処理が行われる。
ａ．（最小の段方向配置座標）≦（見出しの最小の段方向配置座標）の場合（３）に進む。
ｂ．（最小の段方向配置座標）＞（見出しの最小の段方向配置座標）の場合には、見出しの最小の段方向配置座標が最小の段方向配置座標とされて（３）に進む。
ｃ．（最小の段方向配置座標）＝（見出しの最小の段方向配置座標）であって、かつ、（最小の行方向配置座標）≦（見出しの最小の行方向配置座標）である場合には、（３）に進む。
ｄ．（最小の段方向配置座標）＝（見出しの最小の段方向配置座標）であって、かつ、（最小の行方向配置座標）＞（見出しの最小の行方向配置座標）である場合には、見出しの最小の行方向配置座標が最小の行方向配置座標とされて（３）に進む。
【００９７】
（３）以下のａ〜ｄに示すような処理が行われ、画像の最小の配置座標との比較処理が行われる。
ａ．（最小の段方向配置座標）≦（画像の最小の段方向配置座標）の場合には、（４）に進む。
ｂ．（最小の段方向配置座標）＞（画像の最小の段方向配置座標）の場合には、画像の最小の段方向配置座標を最小の段方向配置座標として（４）へ進む。  ｃ．（最小の段方向配置座標）＝（画像の最小の段方向配置座標）であって、かつ、（最小の行方向配置座標）≦（画像の最小の行方向配置座標）であれば、（４）に進む。
ｄ．（最小の段方向配置座標）＝（画像の最小の段方向配置座標）であって、かつ、（最小の行方向配置座標）＞（画像の最小の行方向配置座標）である場合には、画像の最小の行方向配置座標を最小の行方向配置座標として（４）に進む。
【００９８】
（４）ステップＳ１５へ進む。
【００９９】
ステップＳ１５では、図２３に示すような記事重要度データ１４への書き込みがなされた後にステップＳ１６に進む。これはまず、記事重要度データ１４の空き要素が検索される。仮に、ここでは、＃ｊ要素が空いていたとする。この場合、紙面＃１の＃１要素情報の要素の処理であるとすれば、紙面＃１の掲載年月日1300Kとして＃ｊ要素の記事の掲載年月日ＫＴｊが、紙面＃１の面名1300Mとして＃ｊ要素の記事の面名ＭＮｊが、紙面＃１の面名1300Hとして＃ｊ要素の記事の版名ＨＮｊが、紙面＃１の＃１要素情報の要素ＩＤ1301Dとして＃ｊ要素の記事の要素ＩＤであるＩＤｊが、最小の段方向配置座標として＃ｊ要素情報の記事の段方向配置座標ＬＤｊが、最小の行方向配置座標として＃ｊ要素情報の記事の行方向配置座標ＬＧｊがそれぞれ登録される。
【０１００】
ステップＳ１６では、対象とする紙面データ１３の全ての要素情報に関する要素の処理が終わったかが確認される。そして、対象とする紙面の全ての要素情報の処理が終わった場合（Ｓ１６：Ｙｅｓ）にはステップＳ１８に進む。一方、そうでない場合（Ｓ１６：Ｎｏ）にはステップＳ１７に進む。
【０１０１】
ステップＳ１７では、次の要素情報の要素が対象とされてステップＳ４に戻る。例えば、紙面＃１の＃１要素情報1301が処理対象であれば、次の処理対象が＃２要素情報1302とされる。
【０１０２】
ステップＳ１８では、全ての紙面データ１３の処理が終了したか否かが確認され、全ての紙面の処理が終了した場合（Ｓ１８：Ｙｅｓ）にはステップＳ２０に進み、そうでない場合（Ｓ１８：Ｎｏ）にはステップＳ１９へ進む。
【０１０３】
ステップＳ１９では、次の紙面データ１３が対象とされてステップＳ２に戻る。例えば、紙面＃１の紙面データ１３（＃１）が処理対象であった場合には、次の処理対象紙面が、紙面＃２の紙面データ１３（＃２）とされる。
【０１０４】
ステップＳ２０では、記事重要度データ１４が、段方向配置座標、行方向配置座標の小さい順に並べ替えられる。具体的には以下のようにして行われる。すなわち、まず、記事重要度きデータ１４の＃１要素、＃２要素、・・・、＃ｊ要素、・・・、＃ｋ要素の並び順を次の条件にて並べ直す。この場合、任意の＃ｊ要素と＃ｋ要素（＃ｊ要素は＃ｋ要素よりも先頭側にある）との間で、次の関係が成り立つ。
（＃ｊ要素の記事の段方向配置座標ＬＤｊ）≦（＃ｋ要素の記事の段方向配置座標ＬＤｋ）
（＃ｊ要素の記事の行方向配置座標ＬＧｊ）≦（＃ｋ要素の記事の行方向配置座標ＬＧｋ）
上述したように、本実施の形態に係る新聞紙面の記事重要度決定方法を適用した新聞紙面制作システムにおいては、上記のような作用により、紙面上に配置された記事の配置位置に基づいて、記事の重要度を適切に決定することができる。これは、自動的に行われるので、人手による作業の手間を省くとともに、迅速に記事の重要度を決定することが可能となる。
【０１０５】
（第２の実施の形態）
本発明の第２の実施の形態を図２４を用いて説明する。
【０１０６】
本実施の形態に係る新聞紙面の記事重要度決定方法を適用した新聞紙面制作システムは、第１の実施の形態に係る新聞紙面の記事重要度決定方法を適用した新聞紙面制作システムの一変形例であり、記事重要度算出部１０が本文記事に対する見出しの個数に基づいて重要度を決定することのみが第１の実施の形態と異なる。その他の構成については、第１の実施の形態で説明した通りであるので、ここでは重複説明を避け、以下に、本実施の形態に係る記事重要度決定方法を適用した新聞紙面制作システムの動作について図２４に示すフローチャートを用いて説明する。なお、ここでいう見出しの個数とは、本文中の文頭見出しは含めていない。
【０１０７】
記事の見出しの個数から記事の重要度を算出する場合には、まず、記事重要度算出部１０によって、紙面データファイル７に蓄積されている紙面データ１３が用いられ、紙面データ１３の最初の紙面である紙面＃１の紙面データ１３（＃１）が対象とされる（Ｓ２１）。次に、ステップＳ２１において対象とされた紙面データ１３（＃１）の掲載年月日1300K、面名1300M、版名1300Hが、指示された条件と一致するかが確認される（Ｓ２２）。そして、一致している場合（Ｓ２２：Ｙｅｓ）にはステップＳ２３へ進み、一致していない場合（Ｓ２２：Ｎｏ）にはステップＳ３０へ進む。
【０１０８】
次に、＃１要素情報1301から順に、各要素情報毎に記事の重要度決定処理が開始される（Ｓ２３）。そして、ステップＳ２４では、ステップＳ２３で対象とされた対象要素が有効であって、レイアウト済みであるか否かが確認される（Ｓ２４）。例えば、＃１要素情報1301が対象であれば、＃１要素の無効／有効フラグ1301Fが有効であって、かつ、＃１要素情報の配置情報の登録数1301L0が０件である場合（Ｓ２４：Ｙｅｓ）にはステップＳ２５に進み、そうでなければ（Ｓ２４：Ｎｏ）ステップＳ２８へ進む。
【０１０９】
更に、ステップＳ２５では、該当要素の要素種別は本文記事であるか否かが確認される。例えば、＃１要素情報1301であれば、＃１要素の要素種別1301Sの内容が確認される。そして、この要素種別が、本文記事である場合（Ｓ２５：Ｙｅｓ）にはステップＳ２６へ進み、本文記事で無い場合（Ｓ２５：Ｎｏ）にはステップＳ２８へ進む。
【０１１０】
次に、ステップＳ２６では、ステップＳ２５において対象とされた本文記事について、見出しの個数が求められる。これは、例えば、紙面＃１の＃１要素情報（本文記事ａ）1301が対象である場合には、＃１要素情報（本文記事ａ）1301に対する見出し要素ＩＤの登録数1301E0の値が見出しの個数と認識される。
【０１１１】
更に、ステップＳ２７では、記事重要度データ１４への書き込みがなされた後にステップＳ２８に進む。記事重要度データ１４への書き込みにはまず、記事重要度データ１４の空き要素が検索される。仮に、ここでは、＃ｊ要素が空いていたとする。この場合、紙面＃１の＃１要素情報の要素の処理であるとすれば、紙面＃１の掲載年月日1300Kとして＃ｊ要素の記事の掲載年月日ＫＴｊが、紙面＃１の面名1300Mとして＃ｊ要素の記事の面名ＭＮｊが、紙面＃１の面名1300Hとして＃ｊ要素の記事の版名ＨＮｊが、紙面＃１の＃１要素情報の要素ＩＤ1301Dとして＃ｊ要素の記事の要素ＩＤであるＩＤｊが、紙面＃１の＃要素情報の要素ＩＤ1301Dとして＃ｊ要素の記事の要素ＩＤであるＩＤｊが、＃１要素情報の本文記事に対する見出し要素ＩＤの登録数1301E0として＃ｊ要素の記事の見出しの個数ＣＭｊがそれぞれ登録される。
【０１１２】
ステップＳ２８では、対象とする紙面データ１３の全ての要素情報に関する要素の処理が終わったかが確認される。そして、対象とする紙面の全ての要素情報の処理が終わった場合（Ｓ２８：Ｙｅｓ）にはステップＳ３０に進む。一方、そうでない場合（Ｓ２８：Ｎｏ）にはステップＳ２９に進む。
【０１１３】
ステップＳ２９では、次の要素情報の要素が対象とされてステップＳ２４に戻る。例えば、紙面＃１の＃１要素情報1301が処理対象であれば、次の処理対象が＃２要素情報1302とされる。
【０１１４】
ステップＳ３０では、全ての紙面データ１３の処理が終わったか否かが確認され、全ての紙面の処理が終了した場合（Ｓ３０：Ｙｅｓ）にはステップＳ３２に進み、そうでない場合（Ｓ３０：Ｎｏ）にはステップＳ３１へ進む。
【０１１５】
ステップＳ３１では、次の紙面データが対象とされてステップＳ２２に戻る。例えば、紙面＃１の紙面データ１３（＃１）が処理対象であった場合には、次の処理対象紙面が、紙面＃２の紙面データ１３（＃２）とされる。
【０１１６】
そして、ステップＳ３２において、記事重要度データ１４が、見出しの個数の多い順に並べ替えが行われることによって重要度の決定処理が終了する。並べ替えは、具体的には以下のようにして行われる。すなわち、まず、記事重要度きデータ１４の＃１要素、＃２要素、・・・、＃ｊ要素、・・・、＃ｋ要素の並び順を次の条件にて並べ直す。この場合、任意の＃ｊ要素と＃ｋ要素（＃ｊ要素は＃ｋ要素よりも先頭側にある）との間で、次の関係が成り立つ。
（＃ｊ要素の記事の見出しの個数ＣＭｊ）≧（＃ｋ要素の記事の見出しの個数ＣＭｋ）
（＃ｊ要素の記事の見出しの個数ＣＭｊ）≧（＃ｋ要素の記事の見出しの個数ＣＭｋ）
上述したように、本実施の形態に係る新聞紙面の記事重要度決定方法を適用した新聞紙面制作システムにおいては、上記のような作用により、記事に対する見出しの個数に基づいて、記事の重要度を適切に決定することができる。これは、自動的に行われるので、人手による作業の手間を省くとともに、迅速に記事の重要度を決定することが可能となる。
【０１１７】
（第３の実施の形態）
本発明の第３の実施の形態を図２５を用いて説明する。
【０１１８】
本実施の形態に係る新聞紙面の記事重要度決定方法を適用した新聞紙面制作システムは、第１の実施の形態に係る新聞紙面の記事重要度決定方法を適用した新聞紙面制作システムの一変形例であり、本文記事の見出し領域の面積に基づいて重要度を決定することのみが第１の実施の形態と異なる。その他の構成については、第１の実施の形態で説明した通りであるので、ここでは重複説明を避け、以下に、本実施の形態に係る記事重要度決定方法を適用した新聞紙面制作システムの動作について図２５に示すフローチャートを用いて説明する。
【０１１９】
まず、記事重要度算出部１０によって、紙面データファイル７に蓄積されている紙面データ１３が用いられ、紙面データ１３の最初の紙面である紙面＃１の紙面データ１３（＃１）が対象とされる（Ｓ４１）。次に、ステップＳ４１において対象とされた紙面データ１３（＃１）の掲載年月日1300K、面名1300M、版名1300Hが、指示された条件と一致するかが確認される（Ｓ４２）。そして、一致する場合（Ｓ４２：Ｙｅｓ）にはステップＳ４３へ進み、一致しない場合（Ｓ４２：Ｎｏ）にはステップＳ５３へ進む。
【０１２０】
次に、＃１要素情報1301から順に、各要素情報毎に記事の重要度決定処理が開始される（Ｓ４３）。そして、ステップＳ４４では、ステップＳ４３で対象とされた対象要素が有効であって、レイアウト済みであるか否かが確認される（Ｓ４４）。例えば、＃１要素情報1301が対象であれば、＃１要素の無効／有効フラグ1301Fが有効であって、かつ、＃１要素の配置情報の登録数1301L0が０件である場合（Ｓ４４：Ｙｅｓ）にはステップＳ４５に進み、そうでない場合（Ｓ４４：Ｎｏ）にはステップＳ５１へ進む。
【０１２１】
更に、ステップＳ４５では、該当要素の要素種別は本文記事であるか否かが確認される。例えば、＃１要素情報1301であれば、＃１要素の要素種別1301Sの内容が確認される。そして、この要素種別が、本文記事である場合（Ｓ４５：Ｙｅｓ）にはステップＳ４６へ進み、本文記事で無い場合（Ｓ４５：Ｎｏ）にはステップＳ５１へ進む。
【０１２２】
次に、ステップＳ４６では、ステップＳ４５において対象とされた本文記事が先頭記事であるか否かが確認され、先頭記事である場合（Ｓ４６：Ｙｅｓ）にはステップＳ４７に進み、先頭記事でない場合（Ｓ４６：Ｎｏ）にはステップＳ５１に進む。これは、例えば、紙面＃１の＃２要素情報（本文記事ｂ）1302が対象である場合には、本文記事ｂは、＃１要素情報（本文記事ａ）の後続記事の要素ＩＤ1301Gに指定されているので先頭記事ではない。一方、紙面＃１の＃１要素情報（本文記事ａ）1301、または紙面＃３の＃３要素情報（本文記事ｃ）1303が対象である場合には、本文記事ａおよび本文記事ｃは、紙面＃１の全ての要素情報の本文記事の後続記事の要素ＩＤ130nGで指定されていないので先頭記事である。
【０１２３】
ステップＳ４７では、対象本文記事に見出し情報があるか否かが確認される。これは、例えば、紙面＃１の＃１要素情報（本文記事ａ）が対象であれば、＃１要素の本文記事に対する見出しの要素ＩＤの登録数1301E0の値が確認される。そして、＃１要素情報の本文記事ａに対する見出しの要素ＩＤの登録数1301E0の値が１以上であれば見出しが存在する（Ｓ４７：Ｙｅｓ）のでステップＳ４８へ進み、そうでない場合（Ｓ４７：Ｎｏ）にはステップＳ４９へ進む。
【０１２４】
ステップＳ４８では、紙面データ１３から、対象本文記事の見出しの領域の面積が求められる。これは、たとえば、紙面＃１の＃１要素情報（本文記事ａ）1301が対象であれば、＃１要素情報の本文記事ａに対する見出しの要素ＩＤの登録数1301E0の値の示す件数分だけ以下に示す（１）から（３）の処理が行われることによって求められる。
【０１２５】
（１）＃１要素情報の本文記事ａに対する第１番目の見出しの要素ＩＤ1301E1の見出しの領域の面積が求められ、見出しの領域の面積に加算される。これはまず、＃１要素情報の本文記事ａに対する第１番目の見出しの要素ＩＤ1301E1に対応した要素情報が検索されることによってなされる。この場合の要素は見出しｅなので、＃５要素情報1305となる。
【０１２６】
見出し領域の面積は、下記に示す式にしたがって計算される。
（（＃５要素情報の第１番目の配置領域の対角線終点Ｘ座標1305L1EX  ）
−（＃５要素情報の第１番目の配置領域の対角線始点Ｘ座標1305L1SX  ））
×（（＃５要素情報の第１番目の配置領域の対角線終点Ｙ座標1305L1EY  ）
−（＃５要素情報の第１番目の配置領域の対角線始点Ｙ座標1305L1SY  ））
（２）以下に示すａ〜ｂの各処理にしたがって、＃１要素情報の本文記事に対する第２番目の見出しの要素1301E2の見出しの領域の面積が求められ、見出しの領域の面積に加算される。
【０１２７】
ａ．＃１要素情報の本文記事に対する第２番目の見出しの要素ＩＤ1301E2に対応した要素情報が検索される。この場合の要素は見出しｐなので、＃１４要素情報1314となる。
【０１２８】
ｂ．下記の式に基づいて見出しの領域の面積が計算される。
（（＃１４要素情報の第１番目の配置領域の対角線終点Ｘ座標1314L1EX）
−（＃１４要素情報の第１番目の配置領域の対角線始点Ｘ座標1314L2SX））
×（（＃１４要素情報の第１番目の配置領域の対角線終点Ｙ座標1314L1EY）
−（＃１４要素情報の第１番目の配置領域の対角線始点Ｙ座標1314L1SY））
（３）＃１要素情報の本文記事に対する第３番目の見出しの要素ＩＤ1301E3以降がある場合には、上記（２）に示す処理が実行される。一方、紙面＃１の＃１要素情報の本文記事ａに対する第３番目以降の見出しが無い場合には処理を終え、ステップＳ５０に進む。
【０１２９】
ステップＳ４９では、対象本文記事の文頭見出し領域の面積が算出される。これは、例えば、紙面＃１の＃３要素情報の記事ｃであったとすれば、＃３要素情報の本文記事のテキスト、レイアウト済テキストの格納アドレス1303Aを参照して、＃３要素のレイアウト済テキスト1303LXが解析される。そして、文頭見出し領域の段方向寸法、行方向寸法が求められ、文頭見出し領域の面積が算出される。なお、文頭見出しの領域については、テキスト1303TXの文頭見出しの組版ファンクションコードを解析することによっても算出される。
【０１３０】
ステップＳ５０では、記事重要度データ１４への書き込みがなされた後にステップＳ５１に進む。これはまず、記事重要度データ１４の空き要素が検索される。仮に、ここでは、＃ｊ要素が空いていたとする。この場合、紙面＃１の＃１要素情報1301の要素の処理であるとすれば、紙面＃１の掲載年月日1300Kとして＃ｊ要素の記事の掲載年月日ＫＴｊが、紙面＃１の面名1300Mとして＃ｊ要素の記事の面名ＭＮｊが、紙面＃１の面名1300Hとして＃ｊ要素の記事の版名ＨＮｊが、紙面＃１の＃１要素情報の要素ＩＤ1301Dとして＃ｊ要素の記事の要素ＩＤであるＩＤｊが、見出し領域の面積として＃ｊ要素の記事の見出し部分の面積の合計ＭＳｊがそれぞれ登録される。
【０１３１】
ステップＳ５１では、対象とする紙面データ１３の全ての要素情報に関する要素の処理が終わったかが確認される。そして、対象とする紙面の全ての要素情報の処理が終わった場合（Ｓ５１：Ｙｅｓ）にはステップＳ５３に進む。一方、そうでない場合（Ｓ５１：Ｎｏ）にはステップＳ５２に進む。
【０１３２】
ステップＳ５２では、次の要素情報が対象とされてステップＳ４４に戻る。例えば、紙面＃１の＃１要素情報1301が処理対象であれば、次の処理対象が＃２要素情報1302とされる。
【０１３３】
ステップＳ５３では、全ての紙面データ１３の処理が終わったか否かが確認され、全ての紙面の処理を終わった場合（Ｓ５３：Ｙｅｓ）にはステップＳ５５に進み、そうでない場合（Ｓ５３：Ｎｏ）にはステップＳ５４へ進む。
【０１３４】
ステップＳ５４では、次の紙面データが対象とされてステップＳ４２に戻る。例えば、紙面＃１の紙面データ１３（＃１）が処理対象であった場合には、次の処理対象紙面が、紙面＃２の紙面データ１３（＃２）とされる。
【０１３５】
ステップＳ５５では、記事重要度データ１４が、見出しの領域の面積の大きい順に並べ替えられ、処理を終了する。この並べ替えは、具体的には以下のようにして行われる。すなわち、まず、記事重要度きデータ１４の＃１要素、＃２要素、・・・、＃ｊ要素、・・・、＃ｋ要素の並び順を次の条件にて並べ直す。この場合、任意の＃ｊ要素と＃ｋ要素（＃ｊ要素は＃ｋ要素よりも先頭側にある）との間で、次の関係が成り立つ。
（＃ｊ要素の記事の見出し領域の面積ＭＳｊ）≦（＃ｋ要素の記事の見出し領域の面積ＭＳｋ）
上述したように、本実施の形態に係る新聞紙面の記事重要度決定方法を適用した新聞紙面制作システムにおいては、上記のような作用により、本文記事の見出し領域の面積に基づいて、記事の重要度を適切に決定することができる。これは、自動的に行われるので、人手による作業の手間を省くとともに、迅速に記事の重要度を決定することが可能となる。
【０１３６】
（第４の実施の形態）
本発明の第４の実施の形態を図２６を用いて説明する。
【０１３７】
本実施の形態に係る新聞紙面の記事重要度決定方法を適用した新聞紙面制作システムは、第１の実施の形態に係る新聞紙面の記事重要度決定方法を適用した新聞紙面制作システムの一変形例であり、記事の見出し、本文、写真などの領域の面積から重要度を決定することのみが第１の実施の形態と異なる。その他の構成については、第１の実施の形態で説明した通りであるので、ここでは重複説明を避け、以下に、本実施の形態に係る記事重要度決定方法を適用した新聞紙面制作システムの動作について図２６に示すフローチャートを用いて説明する。
【０１３８】
まず、記事重要度算出部１０によって、紙面データファイル７に蓄積されている紙面データ１３が用いられ、紙面データ１３の最初の紙面である紙面＃１の紙面データ１３（＃１）が対象とされる（Ｓ６１）。次に、ステップＳ６１において対象とされた紙面データ１３（＃１）の掲載年月日1300K、面名1300M、版名1300Hが、指示された条件と一致するかが確認される（Ｓ６２）。そして、一致する場合（Ｓ６２：Ｙｅｓ）にはステップＳ６３へ進み、一致しない場合（Ｓ６２：Ｎｏ）にはステップＳ７７へ進む。
【０１３９】
次に、＃１要素情報1301から順に、各要素情報毎に記事の重要度決定処理が開始される（Ｓ６３）。そして、ステップＳ６４では、ステップＳ６３で対象とされた対象要素が有効であって、レイアウト済みであるか否かが確認される（Ｓ６４）。例えば、＃１要素情報1301が対象であれば、＃１要素の無効／有効フラグ1301Fが有効であって、かつ、＃１要素の配置情報の登録数1301L0が０件である場合（Ｓ６４：Ｙｅｓ）にはステップＳ６５に進み、そうでない場合（Ｓ６４：Ｎｏ）にはステップＳ７５へ進む。
【０１４０】
更に、ステップＳ６５では、該当要素の要素種別は本文記事であるか否かが確認される。例えば、＃１要素情報1301であれば、＃１要素の要素種別1301Sの内容が確認される。そして、この要素種別が、本文記事である場合（Ｓ６５：Ｙｅｓ）にはステップＳ６６へ進み、本文記事で無い場合（Ｓ６５：Ｎｏ）にはステップＳ７５へ進む。
【０１４１】
次に、ステップＳ６６では、ステップＳ６５において対象とされた本文記事が先頭記事であるか否かが確認され、先頭記事である場合（Ｓ６６：Ｙｅｓ）にはステップＳ６７に進み、先頭記事でない場合（Ｓ６６：Ｎｏ）にはステップＳ７５に進む。これは、例えば、紙面＃１の＃２要素情報（本文記事ｂ）1302が対象である場合には、本文記事ｂは、＃１要素情報（本文記事ａ）の後続記事の要素ＩＤ1301Gに指定されているので先頭記事ではない。一方、紙面＃１の＃１要素情報（本文記事ａ）1301、または紙面＃３の＃３要素情報（本文記事ｃ）1303が対象である場合には、本文記事ａおよび本文記事ｃは、紙面＃１の全ての要素情報の本文記事の後続記事の要素ＩＤ130nGで指定されていないので先頭記事である。
【０１４２】
ステップＳ６７では、対象本文記事に見出し情報があるか否かが確認される。これは、例えば、紙面＃１の＃１要素情報（本文記事ａ）1301が対象であれば、＃１要素情報の本文記事に対する見出しの要素ＩＤの登録数1301E0の値が確認される。そして、＃１要素情報の本文記事ａに対する見出しの要素ＩＤの登録数1301E0の値が１以上であれば見出しが存在する（Ｓ６７：Ｙｅｓ）のでステップＳ６８へ進み、そうでなければ（Ｓ６７：Ｎｏ）ステップＳ６９へ進む。
【０１４３】
ステップＳ６８では、紙面データ１３から、対象本文記事の見出しの領域の面積が求められる。これは、たとえば、紙面＃１の＃１要素情報（本文記事ａ）1301が対象であれば、＃１要素情報の本文記事ａに対する見出しの要素ＩＤの登録数1301E0の値の示す件数分だけ以下に示す（１）から（３）の処理が行われることによって求められる。
【０１４４】
（１）＃１要素情報の本文記事ａに対する第１番目の見出しの要素ＩＤ1301E1の見出しの領域の面積が求められ、見出しの領域の面積に加算される。これはまず、＃１要素情報の本文記事ａに対する第１番目の見出しの要素ＩＤ1301E1に対応した要素情報の要素が検索されることによってなされる。この場合の要素は見出しｅなので、＃５要素情報1305となる。
【０１４５】
見出し領域の面積は、下記に示す式にしたがって計算される。
（（＃５要素情報の第１番目の配置領域の対角線終点Ｘ座標1305L1EX  ）
−（＃５要素情報の第１番目の配置領域の対角線始点Ｘ座標1305L1SX  ））
×（（＃５要素情報の第１番目の配置領域の対角線終点Ｙ座標1305L1EY  ）
−（＃５要素情報の第１番目の配置領域の対角線始点Ｙ座標1305L1SY  ））
（２）次に、以下に示すａ〜ｂの各処理にしたがって、＃１要素情報の本文記事に対する第２番目の見出しの要素1301E2の見出しの領域の面積が求められ、見出しの領域の面積に加算される。
【０１４６】
ａ．＃１要素情報の本文記事ａに対する第２番目の見出しの要素ＩＤ1301E2に対応した要素情報の要素が検索される。この場合の要素は見出しｐなので、＃１４要素情報となる。
【０１４７】
ｂ．下記の式に基づいて見出しの領域の面積が計算される。
（（＃１４要素情報の第１番目の配置領域の対角線終点Ｘ座標1314L1EX）
−（＃１４要素情報の第１番目の配置領域の対角線始点Ｘ座標1314L2SX））
×（（＃１４要素情報の第１番目の配置領域の対角線終点Ｙ座標1314L1EY）
−（＃１４要素情報の第１番目の配置領域の対角線始点Ｙ座標1314L1SY））
（３）＃１要素情報の本文記事ａに対する第３番目の見出しの要素ＩＤ1301E3以降がある場合には、上記（２）に示す処理が実行される。一方、紙面＃１の＃１要素情報の本文記事ａに対する第３番目以降の見出しが無い場合には処理を終え、ステップＳ７０に進む。
【０１４８】
ステップＳ６９では、見出し領域の面積が０とされる。
【０１４９】
ステップＳ７０では、本文記事の領域の面積の合計が求められる。これは以下のようにして行われる。すなわち、まず、本文記事の領域の面積が０とされる。例えば、紙面＃１の＃１要素情報（本文記事ａ）1301が対象であれば、＃１要素情報の本文記事に対する＃１要素の配置情報の登録数1301L0の値の示す件数分だけ以下に示す（１）から（３）の処理がなされる。
【０１５０】
（１）以下に示す式にしたがって＃１要素情報の本文記事ａに対する第１番目の配置領域1301L1の面積が求められ、本文記事の領域の面積に加算される。
（（第１番目の配置領域の対角線終点Ｘ座標1301L1EX）
−（第１番目の配置領域の対角線始点Ｘ座標1301L1SX））
×（（第１番目の配置領域の対角線終点Ｙ座標1301L1EY）
−（第１番目の配置領域の対角線始点Ｙ座標1301l1SY））
（２）以下に示す式にしたがって第２番目の配置の領域1301L2の面積が求められ、本文記事の領域の面積に加算される。
【０１５１】
（（第２番目の配置領域の対角線終点Ｘ座標1301L2EX）
−（第２番目の配置領域の対角線始点Ｘ座標1301L2SX））
×（（第２番目の配置領域の対角線終点Ｙ座標1301L2EY）
−（第２番目の配置領域の対角線始点Ｙ座標1301L2SY））
（３）以下に示す式にしたがって第３番目の配置の領域1301L3の面積が求められ、本文記事の領域の面積に加算される。
【０１５２】
（（第３番目の配置領域の対角線終点Ｘ座標1301L3EX）
−（第３番目の配置領域の対角線始点Ｘ座標1301L3SX））
×（（第３番目の配置領域の対角線終点Ｙ座標1301L3EY）
−（第３番目の配置領域の対角線始点Ｙ座標1391L3SY））
ステップＳ７１では、対象本文記事に画像情報があるか否かが確認される。例えば、紙面＃１の＃１要素情報（本文記事ａ）1301が対象であれば、＃１要素情報の本文記事ａに対する画像の要素ＩＤの登録数1301Q0の値を確認される。そして、＃１要素情報の本文記事に対する画像の要素ＩＤの登録数1301Q0の値が１以上であれば画像が存在する（Ｓ７１：Ｙｅｓ）のでステップＳ７２へ進み、そうでなければ（Ｓ７１：Ｎｏ）画像が存在しないのでステップＳ７３へ進む。
【０１５３】
ステップＳ７２では、紙面データ１３から、画像の領域の面積が求められる。これは、たとえば、紙面＃１の＃１要素情報（本文記事ａ）が対象であれば、＃１要素情報の本文記事ａに対する画像の要素ＩＤの登録数1301E0の値の示す件数分だけ以下に示す（１）から（４）の処理が行われることによって求められる。
【０１５４】
（１）＃１要素情報の本文記事ａに対する第１番目の画像の要素ＩＤ1301Q1の画像の情報が求められる。これはまず、＃１要素情報の本文記事ａに対する第１番目の見出しの要素ＩＤ1301Q1に対応した要素情報の要素が検索されることによってなされる。この場合の要素は画像：写真ｄなので、＃４要素情報1304となる。
【０１５５】
次に、以下に示す式にしたがって、画像の領域の面積が求められ、画像の領域の面積に加算される。
（（＃４要素情報の第１番目の配置領域の対角線終点Ｘ座標1304L1EX）
−（＃４要素情報の第１番目の配置領域の対角線始点Ｘ座標1304L1SX））
×（（＃４要素情報の第１番目の配置領域の対角線終点Ｙ座標1304L1EY）
−（＃４要素情報の第１番目の配置領域の対角線始点Ｙ座標1304L1SY））
（２）＃１要素情報の本文記事に対する第２番目の画像の要素ＩＤ1301Q2の画像の要素が、以下に示す手順に従って求められる。すなわち、まず、＃１要素情報の本文記事ａに対する第２番目の画像の要素ＩＤ1301Q2に対応した要素情報が検索される。この場合の要素は画像ｑなので、＃１５要素情報となる。次に、以下に示す式にしたがって画像の領域の面積が求められ、画像の領域の面積に加算される。
（（＃１５要素情報の第１番目の配置領域の対角線終点Ｘ座標1315L1EX）
−（＃１５要素情報の第１番目の配置領域の対角線始点Ｘ座標1315L1SX））
×（（＃１５要素情報の第１番目の配置領域の対角線終点Ｙ座標1315L1EY）
−（＃１５要素情報の第１番目の配置領域の対角線始点Ｙ座標1315L1SY））
（３）＃１要素情報の本文記事に対する第３番目の画像の要素ＩＤ1301Q3以降があれば上記（２）の処理が実行される。紙面＃１の＃１要素情報の本文記事ａは第３番目以降の画像が無いので処理が終了する。
【０１５６】
（４）ステップＳ７４に進む。
【０１５７】
ステップＳ７４では、記事重要度データ１４への書き込みがなされた後にステップＳ７５に進む。これはまず、記事重要度データ１４の空き要素が検索される。仮に、ここでは、＃ｊ要素が空いていたとする。この場合、紙面＃１の＃１要素情報の要素が処理であるとすれば、紙面＃１の掲載年月日1300Kとして＃ｊ要素の記事の掲載年月日ＫＴｊが、紙面＃１の面名1300Mとして＃ｊ要素の記事の面名ＭＮｊが、紙面＃１の面名1300Hとして＃ｊ要素の記事の版名ＨＮｊが、紙面＃１の＃１要素情報の要素ＩＤ1301Dとして＃ｊ要素の記事の要素ＩＤであるＩＤｊが、見出しの領域の面積として＃ｊ要素の見出し部分の面積ＭＳｊが、本文記事の領域の面積として＃ｊ要素の本文記事部分の面積ＫＳｊが、画像の領域の面積として＃ｊ要素の画像（写真など）部分の面積ＰＳｊが、見出しの領域と本文記事の領域と画像の領域との面積の合計値が、＃ｊ要素の記事領域全体の面積ＴＳｊとしてそれぞれ登録されてステップＳ７５に進む。
【０１５８】
ステップＳ７５では、対象とする紙面データ１３の全ての要素情報に関する要素の処理が終わったかが確認される。そして、対象とする紙面の全ての要素情報の処理が終了した場合（Ｓ７５：Ｙｅｓ）にはステップＳ７７に進む。一方、終了していない場合（Ｓ７５：Ｎｏ）にはステップＳ７６に進む。
【０１５９】
ステップＳ７６では、次の要素情報の要素が対象とされてステップＳ６４に進む。例えば、紙面＃１の＃１要素情報1301が処理対象であれば、次の処理対象が＃２要素情報1302とされる。
【０１６０】
ステップＳ７７では、全ての紙面データ１３の処理が終わったか否かが確認され、全ての紙面の処理を終わった場合（Ｓ７７：Ｙｅｓ）にはステップＳ７９に進み、そうでない場合（Ｓ７７：Ｎｏ）にはステップＳ７８へ進む。
【０１６１】
ステップＳ７８では、次の紙面データが対象とされてステップＳ６２に進む。例えば、紙面＃１の紙面データ１３（＃１）が処理対象であった場合には、次の処理対象紙面が、紙面＃２の紙面データ１３（＃２）とされる。
【０１６２】
ステップＳ７９では、記事重要度データ１４が、記事の領域の面積の合計の大きい順に並べ替えられ、処理を終了する。具体的には以下のようにして行われる。すなわち、まず、記事重要度きデータ１４の＃１要素、＃２要素、・・・、＃ｊ要素、・・・、＃ｋ要素の並び順を次の条件にて並べ直す。この場合、任意の＃ｊ要素と＃ｋ要素（＃ｊ要素は＃ｋ要素よりも先頭側にある）との間で、次の関係が成り立つ。
（＃ｊ要素の記事の段方向配置座標ＬＤｊ）≦（＃ｋ要素の記事の段方向配置座標ＬＤｋ）
（＃ｊ要素の記事の行方向配置座標ＬＧｊ）≦（＃ｋ要素の記事の行方向配置座標ＬＧｋ）
上述したように、本実施の形態に係る新聞紙面の記事重要度決定方法を適用した新聞紙面制作システムにおいては、上記のような作用により、記事の見出し、本文、写真などの領域の面積から重要度に基づいて、記事の重要度を適切に決定することができる。これは、自動的に行われるので、人手による作業の手間を省くとともに、迅速に記事の重要度を決定することが可能となる。
【０１６３】
以上、本発明の好適な実施の形態について、添付図面を参照しながら説明したが、本発明はかかる構成に限定されない。特許請求の範囲に記載された技術的思想の範疇において、当業者であれば、各種の変更例及び修正例に想到し得るものであり、それら変更例及び修正例についても本発明の技術的範囲に属するものと了解される。
【０１６４】
【発明の効果】
以上説明したように、本発明によれば、新聞の紙面制作過程で生成された紙面データに配置された記事データに基づいて、記事の重要度を決定するための必要な情報を抽出し、抽出した情報に基づいて、記事の重要度を自動的に決定することが可能な新聞紙面の制作システムおよび記事重要度決定方法を実現することができる。
【図面の簡単な説明】
【図１】本発明の実施の形態に係る新聞紙面の記事重要度決定方法を適用した新聞紙面制作システムの一例を示す機能ブロック図
【図２】記事重要度算出部と記事重要度データ出力部とを組版編集サーバの外部に設けた場合のシステム構成を示す機能ブロック図
【図３】紙面データの一例を示すデータ構造図
【図４】紙面＃１の紙面データの詳細なデータ構造図
【図５】紙面データ共通情報の一例を示すデータ構造図
【図６】＃１要素情報（本文記事ａ）の一例を示すデータ構造図
【図７】＃２要素情報（本文記事ｂ）の一例を示すデータ構造図
【図８】＃３要素情報（本文記事ｃ）の一例を示すデータ構造図
【図９】＃４要素情報（画像・写真ｄ）の一例を示すデータ構造図
【図１０】＃５要素情報（見出しｅ）の一例を示すデータ構造図
【図１１】＃６要素情報（画像・地紋ｆ）の一例を示すデータ構造図
【図１２】＃７要素情報（小組ｇ）の一例を示すデータ構造図
【図１３】＃８要素情報（本文記事ｈ）の一例を示すデータ構造図
【図１４】＃９要素情報（本文記事ｉ）の一例を示すデータ構造図
【図１５】＃１０要素情報（画像：写真ｊ）の一例を示すデータ構造図
【図１６】＃１１要素情報（見出しｋ）の一例を示すデータ構造図
【図１７】＃１２要素情報（見出しｍ）の一例を示すデータ構造図
【図１８】＃１３要素情報（画像：地紋ｎ）の一例を示すデータ構造図
【図１９】＃１４要素情報（見出しｐ）の一例を示すデータ構造図
【図２０】＃１５要素情報（画像：写真ｑ）の一例を示すデータ構造図
【図２１】テキストデータ等の一例を示すデータ構造図
【図２２】第１の実施の形態に係る新聞紙面の記事重要度決定方法を適用した新聞紙面制作システムの動作を示すフローチャート
【図２３】記事重要度データの一例を示すデータ構造図
【図２４】第２の実施の形態に係る新聞紙面の記事重要度決定方法を適用した新聞紙面制作システムの動作を示すフローチャート
【図２５】第３の実施の形態に係る新聞紙面の記事重要度決定方法を適用した新聞紙面制作システムの動作を示すフローチャート
【図２６】第４の実施の形態に係る新聞紙面の記事重要度決定方法を適用した新聞紙面制作システムの動作を示すフローチャート
【符号の説明】
１…記事入力／校正端末
２…記事サーバ
３…画像入力／加工端末
４…画像サーバ
５…組版端末
６…組版編集サーバ
７…紙面データファイル
８…出力サーバ
９…プリンタ／プロッタ
１０…記事重要度算出部
１１…記事重要度データ出力部
１３…紙面データ
１４…記事重要度データ
【図１】
0004044294.tif 000002
【図２】
0004044294.tif 000003
【図３】
0004044294.tif 000004
【図４】
0004044294.tif 000005
【図５】
0004044294.tif 000006
【図６】
0004044294.tif 000007
【図７】
0004044294.tif 000008
【図８】
0004044294.tif 000009
【図９】
0004044294.tif 000010
【図１０】
0004044294.tif 000011
【図１１】
0004044294.tif 000012
【図１２】
0004044294.tif 000013
【図１３】
0004044294.tif 000014
【図１４】
0004044294.tif 000015
【図１５】
0004044294.tif 000016
【図１６】
0004044294.tif 000017
【図１７】
0004044294.tif 000018
【図１８】
0004044294.tif 000019
【図１９】
0004044294.tif 000020
【図２０】
0004044294.tif 000021
【図２１】
0004044294.tif 000022
【図２２】
0004044294.tif 000023
【図２３】
0004044294.tif 000024
【図２４】
0004044294.tif 000025
【図２５】
0004044294.tif 000026
【図２６】
0004044294.tif 000027